(57)【要約】  コンプライアンス容積又はリザーバーに定位置において連結された共鳴管を有する改良されたパルス管冷却器である。共鳴管は、その作動周波数、温度及び圧力における共鳴管内の動作気体の定在波の１Ａ波長の整数倍と実質的に等しい長さを持つ。共鳴管は波長のほぼ１Ａの長さの単一の一体の管としてイナータンス管と一体に形成されることが好ましい。好ましくは、一体管は冷却器の低温域におけるパルス管への再生式熱交換器の連結から外向きに間隔を空けられかつそのまわりでコイルにされ、更にコイルを通る熱伝導を改良するために熱的に一緒に接合される。
2009506294.tif 000002
【特許請求の範囲】
【請求項１】
選択された作動周波数を有しかつ再生用熱交換器を経てパルス管の一方の端部に連結された圧力波発生装置を備え、パルス管の他方の端部はイナータンス管の第１の端部に連結され、選ばれた運転温度を有しかつ選ばれた平均圧力において作動するための作動気体を収容している改良されたパルス管冷却器において、
イナータンス管の反対側の第２の端部に連結された第１の端部を有し更に気密に封鎖された反対側の第２の端部を有する共鳴管であって、共鳴管の運転周波数、温度及び圧力における共鳴管内の動作気体の定在波の１／４波長の奇数整数倍と実質的に等しい長さを有する前記共鳴管を具備するパルス管冷却器。
【請求項２】
整数の倍数が１である請求項１によるパルス管冷却器。
【請求項３】
共鳴管が、単一の一体の管としてイナータンス管と一体に形成される請求項２によるパルス管冷却器。
【請求項４】
一体の管の長さが前記波長の実質的に１／２である請求項３によるパルス管冷却器。
【請求項５】
一体の管が、多段冷却器の少なくも第２段階である冷却器の低温域におけるパルス管への再生式熱交換器の連結から外向きに間隔を空けられかつそのまわりでコイルにされる請求項３によるパルス管冷却器。
【請求項６】
コイルが、コイルを通る熱伝導を改良するために熱的に一緒に接合された巻回を有する請求項５によるパルス管冷却器。
【請求項７】
イナータンス管及び共鳴管が、多段冷却器の少なくも第２段階である冷却器の低温域におけるパルス管への再生式熱交換器の連結から外向きに間隔を空けられかつそのまわりでコイルにされる請求項２によるパルス管冷却器。
【請求項８】
コイルが、コイルを通る熱伝導を改良するために熱的に一緒に接合された巻回を有する請求項７によるパルス管冷却器。
【発明の詳細な説明】
【技術分野】
【０００１】
本発明は、一般にパルス管低温冷却器に関し、特に共鳴装置と置換し得る構造であって、通常の構成で使用され、そしてこれにより価格、動作気体の体積、重量及びクーリングダウン時間を減少させる構造に関する。
【背景技術】
【０００２】
進行波パルス管冷却器は、特に多数の冷却器がカスケード接続されたとき、低温に冷却するための望ましい特性を有するとして認識されてきた。これの開発は、閉鎖管の一方の端部への圧力波の適用により反対側の端部に生ずる冷却効果の研究から開始された。管に再生用熱交換器が追加され、その一例が特許文献１に示される。この技術により、再生用熱交換器における圧力と動作気体の質量の流速との時間の整合が冷却器のヒートポンプ効率に決定的に重要であることが認識された。管の事前閉鎖された端部におけるオリフィスの追加により性能の劇的な改良が得られた。オリフィスは、サージ容積、コンプライアンス容積又はバッファーとも呼ばれる比較的大きな容積のリザーバーを導く。このオリフィスパルス管冷却器は再生用熱交換器における整合を大きく改良し、これによりヒートポンプ効率を増加させた。特許文献２が単なる一例である従来技術に、オリフィスパルス管冷却器の多くの例ある。
【０００３】
オリフィス及びリザーバーは、管の端部における音響インピーダンスを変化させ、これにより気体の速度と圧力との間の位相の関係を変化させる。管の閉鎖端の壁において、圧力は振動するが境界条件速度は常にゼロであり、従って閉鎖端は、圧力の腹及び速度の節を持つ。閉鎖端は管にほぼ純粋な反応インピーダンスを与え、速度と圧力の位相を実質的に９０゜ずらし、エネルギーを反射する。しかし、オリフィスが大容積に連結されたときは、顕著な圧力変動を受けることなく、気体がリザーバー内の圧力変化により影響されずにオリフィスを通って振動方向で流れることを許し、そしてオリフィスがあまり大きくない場合は圧力変動がオリフィスを横切ることを許す。従って、組み合わせられたオリフィスとリザーバーとは、管に抵抗音響インピーダンスを与えるように設計することができる。抵抗インピーダンスは、オリフィスにおける気体の圧力及び速度が同位相であるという特徴を持つ。閉鎖端の壁をオリフィス及びリザーバーで置換することにより生ずる管端部における位相の変化が、改良されたヒートポンプ効率を最終的に生ずるリザーバー内の位相合わせの希望の変化を生む。
【０００４】
パルス管冷却器は、特許文献３及び４に示されたような多段カスケードでも構成されている。
【０００５】
進行波パルス管冷却器は、オリフィスに対するイナータンス管の置換により更に改良された。この方式の例は特許文献５に示される。イナータンス管は、各端部が開口しそしてコイルに巻き得る長く細い管、典型的に数メートルの長さの管である。イナータンス管は、リザーバーとパルス管との間に連結され、そしてこの間に反応音響インピーダンスを挿入する。この方法でパルス管に連結されそして音波のほぼ１／４波長に切断されたとき、この組み合わせは、パルス管の端部にほぼ抵抗性の音響インピーダンスを与える。オリフィスの代わりにイナータンス管の使用を使用した場合、設計者は、イナータンス管の長さを変えることにより、パルス管の端部における音響インピーダンスを変え、従って圧力／速度の同調を変化させることができる。このことが、設計者に対して、再生用熱交換器における同調の更なる調節及び最適化に対するより柔軟性を許し、これによりヒートポンプ効率を更に大きくする。
【特許文献１】米国特許第３，２３７，４２１号  明細書
【特許文献２】米国特許第５，７９４，４５０号  明細書
【特許文献３】米国特許第６，２５６，９９８号  明細書
【特許文献４】米国公開第２００４／００００１４９号  明細書
【特許文献５】米国公開第２００３／０２２６３６４号  明細書
【発明の開示】
【発明が解決しようとする課題】
【０００６】
しかし、リザーバーは幾つかの望ましくない特性も持っている。リザーバーは、音響サイクルを通してその中の気体の圧力が認め得る変化をしない十分に大きい容積を囲まねばならない。更に、リザーバーは、パルス管冷却器の充填される平均圧力下で動作気体を保持するに十分に強くなければならない。このため、リザーバーは、構造的にこれらの要求に適合するに十分な大きなその表面積及びその厚さの両者を持つように構成しなければならない。従ってリザーバーは大きい質量を有し、かなりの空間を占有する大きな体積を有し、比較的重く、かつ製造に比較的大きな費用がかかる。
【０００７】
更に多段式のパルス管冷却器においては、高位の段階（第１段階より先の段階）は低温の定常状態で作動する。ある実例においては、高位段階用のリザーバー及びイナータンス管は、その高温域の温度又は低温域の温度である［エンド（ｅｎｄ）」又は先行段階の「エンド」において作動する。このため、低温冷却器がその運転温度にクーリングダウンするときの遷移条件下では、パルス管冷却器は、リザーバー並びにその他の構成要素と共にクーリングダウンしなければならない。リザーバーの比較的大きい質量、従ってその大きい熱容量のため、低温冷却器が運転温度に達するまでにかなりの時間遅れを生ずる。
【課題を解決するための手段】
【０００８】
従って、質量と体積とが非常に小さく、費用もかなり少なくかつ入手が容易な通常の製品から容易に作られ、更に低温冷却器が通常収容される外側の真空容器内により容易に収容し得る構造によりパルス管冷却器のリザーバーを置換することが本発明の目的及び特徴である。
【０００９】
パルス管冷却器のリザーバーは、共鳴管の運転の周波数、温度及び圧力における動作気体の定在波の１／４波長と実質的に等しいか又はその奇数整数倍の長さを有する共鳴管により置き換えられる。共鳴管は、イナータンス管及び共鳴管の両者の機能を行う単一の一体管としてイナータンス管と一体に形成されることが好ましい。
【発明を実施するための最良の形態】
【００１０】
図面に示された本発明の好ましい実施例に説明において、明瞭のために特定の用語が使用されるであろう。しかし、本発明はこのように選ばれた特定の用語に制限されることを意図せず、そして各特定の用語は、同様な目的を達成するための同様な方法で機能するすべての技術的同等事項を含むことを理解すべきである。例えば、用語「連結され」又はこれと同様な用語が使用される。これらは直接連結に限定されず、当業者により同等であるとして認識される異なる要素間の連結を含む。更に、装置は、公知の作動を行う形式のものが示される。これらは多数あり、かつ将来において追加、変更した装置とすることが可能であり、これらは同じ作動を提供するため、当業者は、同等品として認識するであろう。
【００１１】
本発明は、線形又はその他の構成に対しても適用し得るが、図１及び図２は、Ｕ字形管構成のパルス管冷却器を図式的に示す。これらの図の各は１段を示しているが、当業者において知られるようにパルス管冷却器はカスケード連結された多段を持つことができ、この場合、各段は、その直後の高位の段から、又は最高位の段は冷却している対象物から熱を受け入れ、そして、その直前の低位の段に、又は最低位の段は周囲の大気に熱を排出する。従って、図１及び図２の冷却器は、カスケード連結された多くの段を有する低温冷却器の個々の段も表す。
【００１２】
図１のパルス管冷却器は、従来技術に従って構成されている。３０Ｈｚ又は６０Ｈｚのような選定された作動周波数を有する圧力波発生装置が、熱排出用熱交換器１２、再生用熱交換器１４及び熱受入れ用の熱交換器１６を経てパルス管１８の一方の端部に連結される。再生用熱交換器１４からパルス管１８に至る連結は、熱交換器１６を含んだ方向変更用マニホルド２０を通る。パルス管１８の他方の端部はイナータンス管２２の第１の端部に連結され、この管は、当業者において知られるように、ほぼ１／４波長の長さであるように普通に構成される。しかし、当業者において知られるように、イナータンス管２２は、その長さが正確な１／４波長からずれることが普通である。このずれの理由は、望ましくないことであるが、イナータンス管のパルス管側の端部に速度の節があり、かかる節においては気体の運動がなく、従って冷却器が適正に作動しないためである。イナータンス管２２の他方の端部はコンプライアンスリザーバー２４に連結される。当業者において知られるように、別の熱交換器があり、そしてこれらの連結の全部は機械式の連結でかつ流体の通る連結である。冷却器は、ヘリウムのような動作気体が充填され含まれ、かつ選定された作動温度を有しそして選定された平均圧力で作動する。動作気体内の音波の波長は、運転温度により決定され、圧力によっては僅かに影響されるだけである。
【００１３】
図２の実施例は、図１の冷却器とは、リザーバー２４を実質的に１／４波長の共鳴管２６で置換したことが異なる。共鳴管２６は、図２のイナータンス管２８と連通するように連結された分離構造とすることができる。異なる通路断面積及び形状を持つこともできる。しかし、共鳴管２６はイナータンス管２６と一体に形成され、これらが単一の一体の管を形成することが好ましい。
【００１４】
本発明の共鳴管によるリザーバーの置換は幾つかの利点を持つ。管を製造する大きな産業があり、このため、比較的代替可能な製品を容易かつ低費用で入手できる。所要の圧力及び温度で作動するようにリザーバーを設計し製作する必要がない。共鳴管２６は、リザーバーよりかなり小さい容積を囲みかつ質量がかなり小さく、従って重量及び所要空間が小さいだけでなく、パルス管冷却器が多段カスケードの高位の段にあるとき、始動時に運転温度までにクーリングダウンすべき質量も小さい。このため、クーリングダウン時間が短縮される。冷却器内の気体の総量も非常に減少するので、クーリングダウン中にパルス管、マニホルド及び再生用熱交換器を通る動作気体流量も少ない。
【００１５】
更に、適切な管が容易に入手でき、かつ共鳴管をイナータンス管の延長部として一体に形成し得るので、必要なことの総ては、管を設計されたイナータンス管の長さより実質的に１／４λ長い長さに切断し、一方の端部を閉鎖し、そして通常の方法でパルス管の反対側の端部に取り付けることである。これにより、イナータンス管と共にリザーバーが使用されるときに従来技術において希望されかつ見いだされたと本質的に同じ圧力／温度の境界条件が提供される。
【００１６】
用語「管」は、本発明の１／４波長共鳴管に応用されたとき、用語「管」により普通に示された意味を持つ。これは、流体を収容している中空の内部通路を囲んでいる長いボデイである。最も普通には円筒状であるが、長円形、正方形、三角形又は長方形のようなその他の多角形断面形状を持つことができる。その長さは、横方向寸法よりかなり大きい。本発明に使用される共鳴管の重要な特徴は、イナータンス管と連結している端部に圧力の節と速度の腹とがあり、反対側の遠い閉鎖端部に圧力の腹と速度の節とがある状態で内側の音の定在波の密な近似を支持するように機能することである。共鳴管の断面積は波の伝搬には重要ではないが、その長さは、共鳴管の作動周波数、温度及び圧力における共鳴管内の動作気体の定在波の１／４波長の奇数整数倍であるべきであり、これにより、これが１／４波長の音の定在波の密な近似を支持する。共鳴管の寸法と重量、含まれる動作気体の体積を最小にすること、及び無視し得る流れの抵抗を有することが望ましい。過度の流れの抵抗は冷却器の性能を低下させる。大きすぎる重量及び管の直径は、冷却器の重量を大きくしかつ管をコイルに巻くことを困難にする。従って、共鳴管の断面積は、小さすぎる断面積より生ずる過度の流れの抵抗を避けかつ大きすぎる断面積に基づく過度の寸法、重量及び動作気体の体積を避ける断面積を選定することによる技術上の妥協及び互譲の結果として選ばれる。例えば、本発明者は、直径４ｍｍの管を使用し、これが冷却器性能に大きく影響せずかつコイルに巻くに十分に細く更に過度の重量を加えないことを見いだした。共鳴管は重いリザーバーに代わるものであるため、通常、正味の重量減が達成される。
【００１７】
図３は、２段にカスケード連結されたパルス管冷却器であって、第１段の冷却ヘッド３１と第２段の冷却ヘッド３２とを有する冷却器を示す。第１段はパルス管３４、方向変更用マニホルド３６及び再生用熱交換器３８を持つ。その反対側の端部に熱交換器を有する第２段の再生用熱交換器４０は、方向変更用マニホルド４２を経てパルス管４４に連結される。第２段３２は、コイル状に巻かれかつ第２段３２の方向変更用マニホルド４２から外向きに間隔を空けられた一体の管４６も持つ。図示実施例の方向変更用マニホルド４２は、第２段の冷却ヘッドの低温域を形成しているパルス管への再生用熱交換器の第２段の連結である。コイルにされた管４６の開口端部４８はパルス管４４に連結され、そしてコイル管４６の反対側の端部５０は閉鎖される。コイル管４６は、音波のほぼ１／４波長の全長を持つ。特に、管４６の長さは、パルス管４４に最も近接して置かれかつ閉鎖端５０において始まるコイル管４６の１／４波長の長さの共鳴管のセグメントと本技術において知られた原理に従って設計されたイナータンス管の希望の長さとの和である。
【００１８】
筒状のコイル４６の複数個の巻回が一緒に半田づけ又は鑞付けされ、機械的に定位置に保持され、連続した熱伝導経路に沿って一緒に接合される。コイルは、第１段の方向変更用マニホルド３６に熱伝導する状態で取り付けられた環状板５２に同様に接合される。これはコイルを比較的強固に機械的に保持するが、より重要なことは、全コイル４６から第１段３１の冷却域に至る熱伝導経路を提供することである。この熱伝導経路は、パルス管冷却器のクーリングダウン中のコイル４６からに熱の伝導を容易にする。
【００１９】
冷却ヘッドを回って管をコイルにするためには多くの別の方法があることは勿論である。例えば、コイル状の管の巻回を円筒の内側スリーブ又は外側スリーブのまわり又は内部に巻き、そしてスリーブに熱的及び機械的に連結することができる。
【００２０】
本発明の幾つかの好ましい実施例が詳細に説明されたが、本発明の精神又は特許請求の範囲から離れることなく種々の変更を採用し得ることを理解すべきである。
【図面の簡単な説明】
【００２１】
【図１】従来技術のパルス管冷却器の略図である。
【図２】本発明の実施例の略図である。
【図３】本発明の好ましい実施例の部分的に断面にした略図である。
【図１】
2009506294.tif 000003
【図２】
2009506294.tif 000004
【図３】
2009506294.tif 000005
【国際調査報告】
2009506294.tif 000006